(57)【要約】【課題】起動初日から利用者が望む初日のお出迎えモードの継続時間を既存の構成を用いて任意に設定できる照明装置を提供する。【解決手段】照明装置は、駆動電力を供給又は遮断する電源スイッチと、駆動電力を受けて発光する光源部と、周囲照度を検知する明るさセンサと、人を検知する人検知センサと、明るさセンサおよび人検知センサの検知結果に基づいて、光源部の点灯状態が異なるお出迎えモードおよびセンサ昼モードの間で切り替える制御部３１とを備える。制御部は、電源スイッチの１−２操作が行われたことを受けて、お出迎えモードの継続時間を設定可能である。【選択図】図６
2018156755.tif 000002
【特許請求の範囲】
【請求項１】
駆動電力を供給又は遮断する電源スイッチと、
前記駆動電力を受けて発光する光源部と、
周囲照度を検知する明るさセンサと、
人を検知する人検知センサと、
前記明るさセンサおよび前記人検知センサの検知結果に基づいて、前記光源部の点灯状態が異なる夜間モードおよび昼モードの間で切り替える制御部と、を備える照明装置であって、
前記制御部は、少なくとも前記電源スイッチの瞬時連続操作が行われたことを受けて、前記夜間モードの継続時間を設定可能である、照明装置。
【請求項２】
前記制御部は、前記照明装置の昼モード継続時間を計時して、各計時時間に基づいて各計時日の翌日の夜間モードの継続時間を設定する機能を有し、当該機能によって設定できない起動初日の夜間モードの継続時間を設定する、請求項１に記載の照明装置。
【請求項３】
前記夜間モードは、前記人検知センサで人を検知すると前記光源部を所定時間だけ高照度で点灯させ、前記人検知センサで人が検知されないときには前記光源部を低照度で点灯させるお出迎えモードである、請求項１または２に記載の照明装置。
【請求項４】
前記制御部は、前記電源スイッチのオン操作による起動後の最初の瞬時連続操作の後に、前記瞬時連続操作が何回行われたかに応じて、前記お出迎えモードの継続時間を設定する、請求項１〜３のいずれか一項に記載の照明装置。
【請求項５】
前記夜間モードの時間帯を設定する夜間モード時間設定部、および、前記昼モードから前記夜間モードに移行するときの周囲照度を設定する点灯開始照度設定部を更に備え、前記制御部は、前記電源スイッチのオン操作による起動後の最初の瞬時連続操作の後に行われた前記夜間モード時間設定部または前記点灯開始照度設定部のいずれかの操作量に応じて、前記照明装置の起動初日における前記夜間モードの継続時間を設定する、請求項１〜３のいずれか一項に記載の照明装置。
【発明の詳細な説明】
【技術分野】
【０００１】
本開示は、照明装置に関する。
【背景技術】
【０００２】
従来、特許文献１には、お出迎え機能付きの照明器具が開示されている。この照明器具は、人感センサと明るさ照度センサとを備えており、明るさセンサによって検知された周囲照度が規定値より低くなると低照度で点灯させ、この状態で人感センサによって人が検知されると照明器具を高照度で点灯させる「お出迎え機能」を有する。そして、お出迎え機能の継続時間は、明るさセンサによって検出された周囲照度に基づいて計時された昼時間と、この昼時間に応じて導出された補正時間とから、所定の演算式を用いて算出されることが記載されている。
【先行技術文献】
【特許文献】
【０００３】
【特許文献１】特開２００３−２８２２８０号公報
【発明の概要】
【発明が解決しようとする課題】
【０００４】
上記特許文献１のお出迎え機能付きの照明器具において、前日の計時された昼時間に応じて導出された補正時間を用いて当日のお出迎え機能の継続時間を設定することがある。この場合、照明器具の設置日には前日の昼時間データを有していないため、お出迎え機能の継続時間を一定値（初期値）として照明器具を動作させることが考えらえられる。しかし、この場合には、例えば、照明器具が設置された住宅の家人等の利用者が、設置初日からお出迎え機能の時間設定を望むことが有り得る。このような設定を可能にするために、照明器具に追加の設定スイッチを付加すると、照明器具の構造が複雑になると共にコストが増加することになる。
【０００５】
本開示の目的は、起動初日から利用者が望む初日のお出迎えモードの継続時間を既存の構成を用いて設定できる照明装置を提供することにある。
【課題を解決するための手段】
【０００６】
本開示に係る照明装置は、駆動電力を供給又は遮断する電源スイッチと、前記駆動電力を受けて発光する光源部と、周囲照度を検知する明るさセンサと、人を検知する人検知センサと、前記明るさセンサおよび前記人検知センサの検知結果に基づいて、前記光源部の点灯状態が異なる夜間モードおよび昼モードの間で切り替える制御部と、を備える。前記制御部は、少なくとも前記電源スイッチの瞬時連続操作が行われたことを受けて、前記夜間モードの継続時間を設定可能である。
【発明の効果】
【０００７】
本開示に係る照明装置によれば、照明装置の起動初日から利用者が望む夜間モードの継続時間を、既存の構成を用いて任意に設定できる。また、設置から２日経過を待つことなく、照明装置の動作設定の妥当性を確認および検証することができる。
【図面の簡単な説明】
【０００８】
【図１】一実施形態である照明装置の設置状態での斜視図である。
【図２】照明装置の分解斜視図である。
【図３】照明装置の制御構成を示すブロック図である。
【図４】照明装置の制御装置に設けられた点灯開始照度設定部およびお出迎え時間設定部を示す正面図である。
【図５】お出迎え時間設定部を説明するための図である。
【図６】初日設定モードを含む照明装置の制御を概略的に示す図である。
【図７】１−２操作を示す図である。
【図８】お出迎えモード継続時間を算出する演算式と、補正時間を導出するグラフである。
【図９】所定設定モード（１）でお出迎えモード継続時間を設定する際に参照するテーブルである。
【図１０】所定設定モード（１）でお出迎えモード継続時間を設定する際に参照するテーブルである。
【図１１】初日設定モード（１）の処理手順を示すフローチャートである。
【図１２】初日設定モード（２）を含む照明装置の制御を概略的に示す図である。
【図１３】お出迎え時間設定スイッチを用いて初日のお出迎えモード継続時間を設定する例を示す図である。
【図１４】初日設定モード（２）の処理手順を示すフローチャートである。
【発明を実施するための形態】
【０００９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において「略」なる用語は、例えば、完全に同じである場合に加えて、実質的に同じとみなせる場合を含む意味で用いられる。さらに、以下において複数の実施形態や変形例などが含まれる場合、それらの特徴部分を適宜に組み合わせて用いることは当初から想定されている。
【００１０】
図１は、一実施形態である照明装置１０の設置状態での斜視図である。図２は、照明装置１０の分解斜視図である。図１に示すように、照明装置１０は、例えば、住宅の玄関先等の壁２に設置されるのが好適である。ただし、これに限定されるものではなく、照明装置１０は、天井や軒下等に設置されてもよい。
【００１１】
図２に示すように、照明装置１０は、本体部１２と、カバー１４とを備える。本体部１２は、有底の扁平円筒状をなし、底部１６が例えば木ネジ等の固定手段によって壁２に固定される。本体部１２の外周には、雄ねじ部１８が形成されている。本体部１２は、例えば、樹脂部材によって構成される。
【００１２】
照明装置１０のカバー１４は、円板状のカバー部２０と、カバー部２０と一体に形成された取付部２２とを有する。カバー１４は、例えば、樹脂部材によって構成される。カバー部２０は、中央部が円形の透光部になっており、照明装置１０内に設けられる光源部２４から出射された光を外部に照射することができる。取付部２２は、円筒状をなし、内周面に雌ねじ部が形成されている。この雌ねじ部を本体部１２の雄ねじ部１８に螺合させて矢印Ａ方向にカバー１４を回転させて締め付けることにより、カバー１４が本体部１２に一体に取り付けられる。
【００１３】
照明装置１０の本体部１２の内部には、ソケット２６、センサ部２８、および、制御装置３０が設けられている。ソケット２６は、光源部２４が装着される部分である。光源部２４のねじ部２５をソケット２６に挿入して矢印Ｂ方向（時計回り方向）に回転させることにより、光源部２４はソケット２６に取り付けられる。これにより、光源部２４は、ソケット２６から供給される電力によって点灯可能な状態になる。光源部２４には、例えば、発光ダイオード（ＬＥＤ）ランプや白熱灯などが好適に用いられる。
【００１４】
センサ部２８は、本体部１２の側壁に形成された貫通孔を介して先端部２９が外側に露出した状態で配置されている。図３は、照明装置１０の制御構成を示すブロック図である。図２および図３に示すように、センサ部２８には、明るさセンサ３２および人検知センサ３４が設けられている。図２に示すように、明るさセンサ３２および人検知センサ３４が含まれる。明るさセンサ３２は、照明装置１０が設置されている周囲照度を検知する機能を有し、例えば、公知のＣｄＳセンサによって好適に構成される。人検知センサ３４は、センサ部２８が方向づけられた領域に存在する人を検知する機能を有し、例えば、公知の焦電型赤外線センサによって好適に構成される。さらに、センサ部２８は状態表示部３６を含む。状態表示部３６は、例えば、ＬＥＤ等によって構成されるのが好ましい。状態表示部３６の点灯状態は、照明装置１０の外部に露出したセンサ部２８の先端部２９において視認することができる。状態表示部３６は、人検知センサ３４が人を検知したときに点灯または点滅する。また、状態表示部３６は、後述するように光源部２４が連続点灯モードにあるときに連続点灯してもよい。
【００１５】
なお、センサ部２８は、下方に露出した先端部の向きを鉛直方向に対して所定角度（例えば、２０°）だけ調整できるように構成してもよい。これにより、人の移動を検知したい領域である検知エリアを設置場所に応じて調整することができる。
【００１６】
図３に示すように、制御装置３０は、制御部３１を含む。制御部３１は、例えば、ＭＣＵ(Micro Control Unit)によって好適に構成される。制御部３１は、図示しない記憶部を含み、当該記憶部に予め記憶されたプログラムを読み出して実行することができる。制御部３１には、明るさセンサ３２および人検知センサ３４から検知結果がそれぞれ送信される。また、制御部３１は、センサ部２８の状態表示部３６に電気的に接続されて点灯状態を制御する。
【００１７】
また、制御装置３０は、電源回路部３８および負荷制御部４０を備える。電源回路部３８および負荷制御部４０は図示しない基板に実装されて制御装置３０内に配置されている。電源回路部３８は、電源スイッチ４２を介して電源ＰＳに接続されている。ここでの電源ＰＳは、例えば、照明装置１０が住宅に設置された場合には、住宅の分電盤等で構成される。また、電源スイッチ４２は、玄関内の壁などに設置された例えばターンスイッチ等によって構成される。この電源スイッチ４２をオン操作すると、電源ＰＳからの駆動電力が電源回路部３８を介して制御装置３０に供給され、負荷制御部４０を介して光源部２４に供給される。これにより、光源部２４が点灯する。逆に、電源スイッチ４２をオフ操作すると、電源ＰＳからの駆動電力が遮断されて照明装置１０が消灯する。さらに、制御部３１は、負荷制御部４０に対して光源部２４の点灯状態を制御する信号を送信する。これにより、制御部３１は、光源部２４の点灯、調光、消灯などを制御することができる。
【００１８】
制御装置３０には、受信部３９が設けられてもよい。この受信部３９は、リモコンスイッチからの信号を無線で受信する機能を有する。受信部３９で受信した信号は、電源回路部３８および制御部３１に送信される。この信号を受けて、制御部３１は、光源部２４の点灯状態を制御することができる。なお、上記リモコンスイッチは、照明装置１０に付属した専用リモコンスイッチであってもよいし、あるいは、専用アプリケーションがインストールされた携帯電話等の携帯端末であってもよい。また無線は、電波であっても赤外線であっても構わない。
【００１９】
また、制御装置３０は、点灯開始照度設定部４４およびお出迎え時間設定部４６を更に備える。本実施形態では、点灯開始照度設定部４４およびお出迎え時間設定部４６は、図１に示すように、調整ツマミ（またはボリュームスイッチ）によってそれぞれ構成される。照明装置１０の設置工事を行った施工者や、照明装置１０が設置された住宅の家人など（以下、「利用者」という）は、これらのボリュームスイッチを回転操作することによって、照明装置１０の点灯が開始されるときの周囲照度の規定値、お出迎え時間などを設定することができる。各設定部４４，４６によって設定された設定値は、制御部３１に入力される。制御部３１は、これらの設定値に基づいて光源部２４の点灯制御を実行する。
【００２０】
図４は、制御装置３０に設けられた点灯開始照度設定部４４およびお出迎え時間設定部４６を示す正面図である。図４は、図１に示した制御装置３０を９０°だけ右回りに回転させた状態で示す。
【００２１】
図４に示すように、点灯開始照度設定部４４は、照明装置１０の点灯モードを昼モードからお出迎えモード（夜間モード）に移行するときの周囲照度を設定するための円柱状の調整ツマミ４５を含む。この調整ツマミ４５を「暗め」と表示されている方向に向かって調整ツマミを回転操作すると、照明装置１０の点灯が開始されるときの周囲照度の規定値が低く設定される。他方、調整ツマミ４５を「明るめ」と表示されている方向に向かって調整ツマミを回転操作すると、上記規定値が高く設定される。つまり、調整ツマミ４５が「暗め」側に操作されるほど、照明装置１０が点灯を開始する基準とする周囲照度がより暗くなる。
【００２２】
また、点灯開始照度設定部４４の周囲には、「お出迎えでおすすめ」の吹き出し表示が付されている。この吹き出し表示位置に調整ツマミの目印を合せることで、利用者は、照明装置１０の点灯モードが昼モードからお出迎えモードに移行するのに適した周囲照度に容易に設定することができる。なお、照明装置１０の各点灯モードについては後述する。
【００２３】
お出迎え時間設定部４６は、お出迎えモードの時間帯を設定するための円柱状の調整ツマミ４７を含む。この調整ツマミ４７の周囲には、時計回り方向に沿って順に、「切」、「夜まで」、「深夜まで」、「朝まで」、および、「明るさセンサ」の各表示が付されている。
【００２４】
図５は、お出迎え時間設定部４６を説明するための図である。図５に示すように、お出迎え時間設定部４６の調整ツマミ４７の目印４８が「切」の位置にあるように操作されているとき、照明装置１０の点灯モードは、ＯＮ／ＯＦＦモードに設定される。このＯＮ／ＯＦＦモードでは、照明装置１０は、昼間、明るいときは消灯し、周囲照度が上記規定値より暗くなっても消灯した状態にある。そして、人が近づいたことを人検知センサ３４で検知すると、照明装置１０は例えば１００％の明るさで点灯する。その後、照明装置１０は、人が検知されなくなってから点灯状態を所定時間（例えば、約１分）だけ保持した後、消灯する。換言すれば、ＯＮ／ＯＦＦモードは、下記のお出迎えモードが働かない点灯モードである。
【００２５】
お出迎えモードは、次のような点灯モードである。すなわち、周囲照度が上記規定値より暗くなると、照明装置１０の光源部２４が所定の低照度（例えば、２０％）で点灯する。そして、人検知センサ３４で人を検知すると光源部２４を所定時間だけ高照度（例えば、１００％）で点灯させ、人検知センサ３４で人が検知されないときには光源部２４を低照度で点灯させる。このようにお出迎えモードでは、周囲照度が暗くなると照明装置１０が低照度で点灯して玄関先を照明するので、暗くなってから帰宅又は訪問した家人や訪問客などが玄関先まで安心して到達できる。また、消灯状態から急に明るく点灯する上記のＯＮ／ＯＦＦモードとは異なり、人の検知に応じて低照度から高照度に調光させるので、家人や訪問客などが眩しく感じたり驚いたりすることがない。こういった意味で、このような点灯モードを「お出迎えモード」と呼ぶ。
【００２６】
お出迎え時間設定部４６の調整ツマミ４７の目印４８が、図５に示す状態から、時計回り方向に回転操作されると、その目印４８の回転操作位置（操作量）に応じてお出迎え時間、より詳しくは、お出迎えモードの終了時間が設定される。具体的には、目印４８が「切」から「夜まで」の間に回転操作されると、お出迎えモードの終了時間が２０時頃に設定される。また、調整ツマミ４７の目印４８が「夜まで」の表示範囲に回転操作されると、お出迎えモードの終了時間が０時頃に設定される。ここで、「夜まで」の表示範囲には黒丸の印５０が付されており、この印５０に調整ツマミ４７の目印４８を合せると、お出迎えモードの終了時間がお勧めの時間である２２時に設定される。
【００２７】
また、目印４８が「深夜まで」の表示範囲に回転操作されると、お出迎えモードの終了時間が０時頃から翌３時頃までの間に設定される。そして、目印４８が「朝まで」の表示範囲に回転操作されると、お出迎えモードの終了時間が翌３時ごろから、周囲照度が上記規定値よりも明るくなるまでの時間の間に設定される。なお、調整ツマミ４７の目印４８が「明るさセンサモード」の表示範囲に回転操作されると、人検知センサ３４が機能しなくなり、照明装置１０の点灯／消灯は明るさセンサ３２によって検知される周囲照度のみに基づいて制御される「明るさセンサモード」に設定される。なお、「夜まで」、「深夜まで」などで表される時間帯は上記の時間帯には限られず、任意の時間帯に設定されていても構わない。
【００２８】
次に、図６を参照して、本実施形態の照明装置１０におけるモード制御について説明する。図６は、初日設定モードを含む照明装置１０の制御を概略的に示す図である。また、図７は、電源スイッチ４２の１−２操作（瞬時連続操作）を示す図である。
【００２９】
図６に示すように、照明装置１０の制御には、起動待機モード、センサ昼モード（昼モード）、お出迎えモード（夜間モード）、防犯夜モード、連続点灯モード、および、初日設定モード（１）が含まれる。これらの各モードの移行は、制御部３１によって実行される。
【００３０】
起動待機モードは、電源スイッチ４２（図３参照）がオン操作されると、最初に実行される。起動待機モードでは、所定時間（例えば、４０秒）だけ照明装置１０を点灯させることなく、明るさセンサ３２および人検知センサ３４の動作状態が安定するまで待機する。そして、所定時間が終了すると、照明装置１０は、明るさセンサ３２によって検知される周囲照度に応じて、センサ昼モード、お出迎えモードおよび防犯夜モードのいずれかの点灯モードに移行する。
【００３１】
センサ昼モードは、明るさセンサ３２によって検知される周囲照度が所定の規定値よりも明るいときに実行される。このモードでは、照明装置１０は、人検知センサ３４による人の検知にかかわらず、消灯状態に維持される。
【００３２】
明るさセンサ３２によって検知される周囲照度が規定値よりも暗くなったとき、制御部３１は、センサ昼モードからお出迎えモードに移行する。お出迎えモードでの照明装置１０の点灯動作は上述したとおりである。
【００３３】
制御部３１は、後述するお出迎え継続時間が経過した後、お出迎えモードから防犯夜モードに移行する。防犯夜モードは、人検知センサ３４によって人が検知されないときには照明装置１０を消灯し、人が検知されたときには所定の高照度で点灯する点灯モードである。防犯夜モードは、通常、深夜の時間帯に実行される場合が多い。そのため、防犯夜モードでは、不審者の可能性がある当該人に対して、照明装置１０を威嚇点滅させるように制御してもよい。
【００３４】
明るさセンサ３２によって検知される周囲照度が規定値よりも明るくなったとき、制御部３１は、点灯モードを防犯夜モードからセンサ昼モードに移行する。
【００３５】
上記のセンサ昼モード、お出迎えモード、防犯夜モードのいずれかの点灯モードにあるとき、例えば、家人によって電源スイッチ４２が１−２操作されたとき、制御部３１は、連続点灯モードに移行する。この連続点灯モードでは、周囲照度および人の検知にかかわらず、照明装置１０が所定の照度（例えば、１００％）で連続して点灯した状態に維持される。ここで、１−２操作とは、図７に示すように、電源スイッチ４２に含まれるターンスイッチをオン状態から短時間（例えば、２秒間）のうちに連続的にオフしてオンする瞬時連続操作をいう。この１−２操作による瞬間停電信号が入力されると、制御部３１は、連続点灯モードに移行する。また、連続点灯モードにあるときに１−２操作が行われると、制御部３１は、連続点灯モードから、周囲照度や時間帯に応じて上述したセンサ昼モード、お出迎えモード、防犯夜モードのいずれかに移行する。
【００３６】
続いて、図８を参照して、お出迎えモード継続時間の算出について説明する。図８は、お出迎えモード継続時間を算出する演算式と、補正時間を導出するグラフを示す図である。この演算式とグラフは、制御部３１の記憶部に予め記憶されている。
【００３７】
上述したように、照明装置１０では、センサ昼モードからお出迎えモードに移行した後、お出迎え継続時間Ｔｏを経過した後に、防犯夜モードに移行する。制御部３１は、お出迎え継続時間Ｔｏを、図８にも示される下記の式（１）を用いて算出する。
Ｔｏ＝Ｔｖｒ−Ｔａ  ・・・（１）
Ｔｏ：お出迎え継続時間
Ｔｖｒ：お出迎えモード時間設定入力値
Ｔａ：補正時間
【００３８】
上記のお出迎えモード時間設定入力値Ｔｖｒは、制御装置３０のお出迎え時間設定部４６によって設定される時間であり、例えば８〜１８時間の間で設定可能になっている。ここでは、お出迎え時間設定部４６の調整ツマミ４７がお勧め時間の「２２時」に対応する印５０に回転操作され、お出迎えモード時間設定入力値Ｔｖｒが１０時間に設定されている場合を想定する。
【００３９】
補正時間Ｔａは、制御部３１が図８に示すグラフから前日の昼モード時間Ｔｄａｙに基づいて導出する。昼モード時間Ｔｄａｙは、前日に照明装置１０がセンサ昼モードで動作した時間である。制御部３１は、計時部（図示せず）を備えていり、例えば、周囲照度が規定値よりも明るくなってセンサ昼モードに移行してから、周囲照度が規定値よりも暗くなってお出迎えモードに移行したときまでの時間を計時部で計測し、その結果を記憶部に記憶している。ここでは、前日の昼モード時間が７時〜１７時までの１０時間であった場合を考えると、制御部３１は、図８のグラフから、Ｔｄａｙ＝１０時間に対応する補正時間Ｔａ＝５時間を導出する。したがって、この場合のお出迎え継続時間Ｔｏは、
Ｔｏ＝１０−５＝５時間と算出される。その結果、当日のお出迎えモードは、１７時に移行してから５時間経過後の２２時に終了する。
【００４０】
上記のようにして照明装置１０では、前日の昼モード時間Ｔｄａｙに基づいて導出された補正時間Ｔａを用いて、当日のお出迎えモード継続時間を設定している。そのため、照明装置１０が住宅に設置されて起動開始された初日には、前日の昼モード時間データが存在しないことから、上記式（１）を用いてお出迎えモード継続時間Ｔｏを算出することができない。したがって、この場合、制御部３１は、起動初日のお出迎えモード継続時間Ｔｏとして、予め設定された一定値（例えば、４時間）を用いることがある。しかしながら、照明装置１０が設置された住宅の家人等の利用者が、設置初日からお出迎え機能の時間設定を望むことが有り得る。このような設定を可能にするために、照明装置１０に追加の設定スイッチを付加すると、照明装置１０の構造が複雑になると共にコストが増加することになる。そこで、本実施形態の照明装置１０では、起動初日にお出迎えモード継続時間Ｔｏを既存の構成を用いて設定する「初日設定モード」を備える構成とした。
【００４１】
再び図６を参照すると、本実施形態の照明装置１０は、初日設定モード（１）を更に備える。初日設定モード（１）は、制御部３１において起動待機モードの実行中に、電源スイッチ４２が１−２操作（図７参照）されたときに移行して実行される。なお、初日設定モード（１）に移行しても、起動待機モードの所定時間は引き続き計時される。
【００４２】
初日設定モード（１）では、開始トリガとなった最初の１−２操作の後に、電源スイッチ４２の１−２操作が何回行われたかに応じて、お出迎えモード継続時間Ｔｏを設定する。具体的には、制御部３１は、図９に示すような表を記憶しており、この表を参照することによって電源スイッチ４２の１−２操作回数に応じたお出迎えモード継続時間Ｔｏを導出できる。例えば、１−２操作回数が２回の場合には、お出迎えモード継続時間Ｔｏは８時間となり、１−２操作回数が３回の場合には、お出迎えモード継続時間Ｔｏは４時間となる。
【００４３】
なお、ここでは１−２操作回数が増えるにしたがってお出迎えモード継続時間Ｔｏが短く設定される場合を例示するが、図９中のかっこ書きで示すように、１−２操作回数が増えるにしたがってお出迎えモード継続時間Ｔｏが長く設定されるようにしてもよい。
【００４４】
また、制御部３１は、図１０に示す表を参照することによって、１−２操作回数に応じた前日の昼モード時間Ｔｄａｙを導出し、この前日の昼モード時間Ｔｄａｙを用いて図８のグラフから補正時間Ｔａを導出して、上記式（１）によりお出迎えモード継続時間Ｔｏを算出してもよい。この場合でも、１−２操作回数が増えるにしたがって前日の昼モード時間Ｔｄａｙが短く設定されてもよいし、或いは、かっこ書きで示すように長く設定されてもよい。
【００４５】
再び図６を参照すると、上記のようにしてお出迎えモード継続時間Ｔｏが設定されると、制御部３１は、起動待機モードの所定時間が経過後に、周囲照度に応じてセンサ昼モード、お出迎えモード、または、防犯夜モードに移行する。
【００４６】
図１１は、制御部３１において実行される初日設定モード（１）の処理手順を示すフローチャートである。図１１に示す処理は、起動待機モード中にトリガとなる最初の１−２操作が行われたことを受けて、制御部３１において実行される。
【００４７】
図１１に示すように、制御部３１は、まず、ステップＳ１０において、電源スイッチ４２の１−２操作回数をカウントする。そして、制御部３１は、続くステップＳ１２において、起動待機モードの所定時間が経過したか否かを判定する。ここで否定判定（ＮＯ）されると、ステップＳ１０に戻ってカウントを継続する。他方、上記ステップＳ１２で肯定判定（ＹＥＳ）されると、制御部３１は、確定した１−２操作回数に応じて、図９等の表を参照してお出迎えモード継続時間Ｔｏを設定して、処理を終了する（エンド処理）。
【００４８】
上述したように、本実施形態の照明装置１０では、駆動電力を供給又は遮断する電源スイッチ４２と、駆動電力を受けて発光する光源部２４と、周囲照度を検知する明るさセンサ３２と、人を検知する人検知センサ３４を備える。また、照明装置１０は、明るさセンサ３２および人検知センサ３４の検知結果に基づいて、光源部２４の点灯状態が異なるお出迎えモードおよびセンサ昼モードの間で切り替える制御部３１を更に備える。そして、制御部３１は、電源スイッチ４２の１−２操作が行われたことを受けて、お出迎えモード継続時間を設定可能である。
【００４９】
より具体的には、制御部３１は、照明装置１０の昼モード時間Ｔｄａｙを計時して、各計時時間Ｔｄａｙに基づいて各計時日の翌日のお出迎えモード継続時間Ｔｏを設定する機能を有し、当該機能によって設定できない起動初日のお出迎えモード継続時間Ｔｏを初日設定モードの実行により設定する。そして、この場合、照明装置１０は、制御部３１が、電源スイッチ４２のオン操作による起動後の最初の１−２操作の後に、１−２操作が何回行われたかに応じて、お出迎えモードの継続時間を設定する。
【００５０】
このように構成したことで、照明装置１０の起動初日から利用者がお出迎えモード継続時間を、既存の構成を用いて任意に設定できる。また、設置から２日経過を待つことなく、照明装置１０の動作設定の妥当性を確認および検証することができる。その結果、照明装置１０の構成の複雑化することなく、新たな機能を追加することができ、商品性がより向上する。
【００５１】
次に、図１２〜図１４を参照して、別の実施形態である初日設定モード（２）について説明する。図１２は、初日設定モード（２）を含む照明装置１０の制御を概略的に示す図である。図１３は、お出迎え時間設定部を用いて起動初日のお出迎えモード継続時間を設定する例を示す図である。以下では、制御部３１において実行される初日設定モード（２）についてのみ説明し、照明装置１０の他の構成は上述したものと同様であるためここでの説明を省略する。
【００５２】
図１２に示すように、制御部３１は、起動待機モード中に１−２操作があった場合に、初日設定モード（２）に移行する。そして、制御部は、施工者や家人等の利用者によって操作されたお出迎え時間設定部４６の操作量に応じて、初日のお出迎えモード継続時間Ｔｏを設定する。具体的には、図１３に示すように、本実施形態では、お出迎え時間設定部４６の調整ツマミ４７の周囲に、お出迎えモード継続時間Ｔｏに関する表示「Ｔｏ１２時間」、「Ｔｏ８時間」、「Ｔｏ４時間」、「Ｔｏ０時間」という表示が追加的に付されているのが好適である。この表示を参照して施工者等が調整ツマミを回転操作することによって、初日のお出迎えモード継続時間Ｔｏを設定することができる。
【００５３】
なお、本実施形態では、お出迎え時間設定部４６を用いて初日のお出迎えモード継続時間Ｔｏを設定する場合について説明するが、これに限定されるものではなく、点灯開始照度設定部４４を用いて初日のお出迎えモード継続時間Ｔｏを設定してもよい。
【００５４】
再び図１２を参照すると、制御部３１は、上記のようにお出迎えモード継続時間Ｔｏが設定された後、電源スイッチ４２が再び１−２操作されるのを受けて、起動待機モードに戻る。これにより、初日のお出迎えモード継続時間Ｔｏが確定する。これに対し、初日設定モード（２）に移行した後に、再度の１−２操作が無かった場合には、起動待機モードの所定時間経過後に、周囲照度に応じてセンサ昼モード、お出迎えモード、または、防犯夜モードに移行する。この場合には、初日のお出迎えモード継続時間Ｔｏは、一定の初期値（例えば、４時間）に設定される。
【００５５】
図１４は、初日設定モード（２）の処理手順を示すフローチャートである。図１４に示す処理は、起動待機モード中にトリガとなる最初の１−２操作が行われたことを受けて、制御部３１において実行される。
【００５６】
図１４に示すように、制御部３１は、まず、ステップＳ２０において、お出迎え時間設定部４６の調整ツマミが操作されたか否かを判定する。ここで肯定判定（ＹＥＳ）されると、ステップＳ２２に進み、否定判定（ＮＯ）されると、ステップＳ２４に進む。
【００５７】
上記ステップＳ２０において肯定判定されたとき、制御部３１は、続くステップＳ２２において、電源スイッチ４２の１−２操作があったか否かを判定する。ここで肯定判定（ＹＥＳ）されるとステップＳ２８に進み、否定判定されるとステップＳ２４に進む。
【００５８】
上記ステップＳ２２において肯定判定されたとき、制御部３１は、続くステップＳ２８において、お出迎えモード継続時間Ｔｏを、お出迎え時間設定部４６の調整ツマミ４７の操作量に応じた時間に設定して、この処理を終了する（エンド処理）。これにより、お出迎えモード継続時間Ｔｏが施工者等によって設定された時間で確定される。
【００５９】
これに対し、上記ステップＳ２０で否定判定（ＮＯ）された場合、および、上記ステップＳ２２で否定判定（ＮＯ）された場合には、制御部３１は、続くステップＳ２４において、起動待機モードの所定時間が経過したか否かを判定する。ここで、否定判定（ＮＯ）されると、上記のステップＳ２０およびＳ２２が繰返し実行され、肯定判定（ＹＥＳ）された場合には、制御部３１は、続くステップＳ２６において、お出迎えモード継続時間Ｔｏを予め定めされた一定の初期値に設定して、この処理を終了する（エンド処理）。
【００６０】
上述したように本実施形態の照明装置１０は、お出迎えモードの時間帯を設定するお出迎え時間設定部４６を備えており、制御部３１は、電源スイッチ４２のオン操作による起動後の最初の１−２操作の後に行われたお出迎え時間設定部４６の操作量に応じて、照明装置１０の起動初日におけるお出迎えモード継続時間Ｔｏを設定する。
【００６１】
この構成によっても、上記と同様の効果を奏することができる。すなわち、照明装置１０の起動初日から利用者がお出迎えモード継続時間を、既存の構成を用いて任意に設定できる。また、設置から２日経過を待つことなく、照明装置１０の動作設定の妥当性を確認および検証することができる。その結果、照明装置１０の構成の複雑化することなく、新たな機能を追加することができ、商品性がより向上する。
【００６２】
なお、本開示に係る照明装置は、上述した実施形態およびその変形例に限定されるものではなく、本願の特許請求の範囲に記載された事項およびその均等な範囲において種々の変更や改良が可能であることはいうまでもない。
【符号の説明】
【００６３】
２  壁、１０  照明装置、１２  本体部、１４  カバー、１６  底部、１８  雄ねじ部、２０  カバー部、２２  取付部、２４  光源部、２５  ねじ部、２６  ソケット、２８  センサ部、２９  先端部、３０  制御装置、３１  制御部、３２  明るさセンサ、３４  人検知センサ、３６  状態表示部、３８  電源回路部、３９  受信部、４０  負荷制御部、４２  電源スイッチ、４４  点灯開始照度設定部、４６  お出迎え時間設定部、４５、４７  調整ツマミ、４８  目印、５０  印、ＰＳ  電源。
【図１】
2018156755.tif 000003
【図２】
2018156755.tif 000004
【図３】
2018156755.tif 000005
【図４】
2018156755.tif 000006
【図５】
2018156755.tif 000007
【図６】
2018156755.tif 000008
【図７】
2018156755.tif 000009
【図８】
2018156755.tif 000010
【図９】
2018156755.tif 000011
【図１０】
2018156755.tif 000012
【図１１】
2018156755.tif 000013
【図１２】
2018156755.tif 000014
【図１３】
2018156755.tif 000015
【図１４】
2018156755.tif 000016